(57)【特許請求の範囲】
【請求項１】
ＬＥＤが実装された配線基板と、前記ＬＥＤから放射された光を配光制御する平面視円形のレンズ部と、前記レンズ部を有し前記配線基板を収納可能な平面視において横長形状である筐体と、前記配線基板に電気的に接続され前記筐体から導出される少なくとも一対の配線とを備え、前記筐体の一面の中央部に前記レンズ部が突出し、前記筐体の平面視において長手方向の一端部に一方の前記配線を前記長手方向に導出する導出穴が形成された第１導出部が設けられ、前記長手方向の他端部に他方の前記配線を前記長手方向に導出する導出穴が形成された第２導出部が設けられてなり、前記第１導出部および前記第２導出部の各々が、前記筐体の平面視における前記長手方向に沿った中心線に対して互いに異なる側にあり、前記筐体の平面視における短辺に沿った側面の範囲内に、前記第１導出部の導出穴と前記第２導出部の導出穴が収まり、前記レンズ部の外周から前記筐体の平面視における前記短辺までの距離は、前記レンズ部の外周から前記筐体の平面視における長辺までの距離よりも大きいことを特徴とするＬＥＤユニット。
【請求項２】
請求項１記載のＬＥＤユニットと、前記ＬＥＤユニットに電源を供給する電源ユニットと、前記ＬＥＤユニットと前記電源ユニットとを保持する器具本体とを備えてなることを特徴とする照明器具。
【発明の詳細な説明】
【技術分野】
【０００１】
本発明は、ＬＥＤユニットおよびそれを用いた照明器具に関するものである。
【背景技術】
【０００２】
近年、図１８に示すような発光ユニット６２が提案されている（特許文献１）。特許文献１に開示された発光ユニット６２は、発光モジュール６１と、この発光モジュール６１の外側を覆う箱状のカバー部材６０とを備えている。
【０００３】
発光モジュール６１は、光源部６４と、この光源部６４を被覆するシリコーン樹脂からなる被覆部材６５とから構成されている。光源部６４は、略四角形状に形成された基板６６と、この基板６６に実装された発光素子６３と、リード線であるリード部材６７とを備えている。なお、発光素子６３は、セラミックスで形成されたパッケージ本体６３ａと、このパッケージ本体６３ａに実装されたＬＥＤチップ（図示せず）と、このＬＥＤチップを封止するモールド用の透光性樹脂とから構成されている。
【０００４】
カバー部材６０は、一面側（図１８の紙面の奥側）に開口部を有している。このカバー部材６０の開口部側の対向側壁には、被覆部材６５に形成されリード部材６７を導出する突出部６５ａが嵌合するコ字状の切欠き部（図示せず）が形成されている。
【０００５】
また、切欠き部が形成された対向側壁の開口部側には、外側に延出する取付舌片６０ｂが対角線上に形成されており、カバー部材６０が１８０度回転対称の形態をなしている。この取付舌片６０ｂには、取付ねじを挿通するねじ穴が形成されている。
【先行技術文献】
【特許文献】
【０００６】
【特許文献１】特開２０１１−１０８８０８号公報
【発明の概要】
【発明が解決しようとする課題】
【０００７】
ところで、特許文献１に開示された発光ユニット６２では、カバー部材６０の開口部側において一対の対向側壁の各々の中央部に突出部６５ａが形成され、カバー部材６０の平面視において各突出部６５ａを結ぶ中心線に対して各取付舌片６０ｂが互いに異なる側に配置されているので、発光ユニット６２の平面視において上記中心線と直交する幅方向の小型化を図ることが難しかった。
【０００８】
本発明は上記事由に鑑みて為されたものであり、その目的は、小型化を図ることが可能なＬＥＤユニットおよびそれを用いた照明器具を提供することにある。
【課題を解決するための手段】
【０００９】
本発明のＬＥＤユニットは、ＬＥＤが実装された配線基板と、前記ＬＥＤから放射された光を配光制御する平面視円形のレンズ部と、前記レンズ部を有し前記配線基板を収納可能な平面視において横長形状である筐体と、前記配線基板に電気的に接続され前記筐体から導出される少なくとも一対の配線とを備え、前記筐体の一面の中央部に前記レンズ部が突出し、前記筐体の平面視において長手方向の一端部に一方の前記配線を前記長手方向に導出する導出穴が形成された第１導出部が設けられ、前記長手方向の他端部に他方の前記配線を前記長手方向に導出する導出穴が形成された第２導出部が設けられてなり、前記第１導出部および前記第２導出部の各々が、前記筐体の平面視における前記長手方向に沿った中心線に対して互いに異なる側にあり、前記筐体の平面視における短辺に沿った側面の範囲内に、前記第１導出部の導出穴と前記第２導出部の導出穴が収まり、前記レンズ部の外周から前記筐体の平面視における前記短辺までの距離は、前記レンズ部の外周から前記筐体の平面視における長辺までの距離よりも大きいことを特徴とする。
【００１１】
本発明の照明器具は、前記ＬＥＤユニットと、前記ＬＥＤユニットに電源を供給する電源ユニットと、前記ＬＥＤユニットと前記電源ユニットとを保持する器具本体とを備えてなることを特徴とする。
【発明の効果】
【００１２】
本発明のＬＥＤユニットにおいては、小型化を図ることが可能となる。
【００１３】
本発明の照明器具においては、小型化を図ることが可能なＬＥＤユニットを備えた照明器具を提供することができる。
【図面の簡単な説明】
【００１４】
【図１】実施形態のＬＥＤユニットの概略分解斜視図である。
【図２】同上のＬＥＤユニットを示し、（ａ）は上側から見た斜視図、（ｂ）は下側から見た斜視図である。
【図３】同上のＬＥＤユニットを示し、（ａ）は断面図、（ｂ）は正面図である。
【図４】同上のＬＥＤユニットを示し、（ａ）は図２（ａ）のＡ−Ａ断面図、（ｂ）は図２（ａ）のＢ−Ｂ断面図、（ｃ）は側面図である。
【図５】同上のＬＥＤユニットにおける第１筐体を示し、（ａ）は上側から見た斜視図、（ｂ）は下側から見た斜視図である。
【図６】同上のＬＥＤユニットにおける第１筐体を示し、（ａ）は平面図、（ｂ）は下面図である。
【図７】同上のＬＥＤユニットにおける第１筐体を示し、（ａ）は図６（ｂ）のＡ−Ａ断面図、（ｂ）は正面図である。
【図８】同上のＬＥＤユニットにおける第１筐体を示し、（ａ）は図６（ｂ）のＢ−Ｂ断面図、（ｂ）は図６（ｂ）のＣ−Ｃ断面図である。
【図９】同上のＬＥＤユニットにおける第１筐体を示し、（ａ）は図６（ｂ）のＤ−Ｄ断面図、（ｂ）は側面図である。
【図１０】同上のＬＥＤユニットにおける第２筐体を示し、（ａ）は上側から見た斜視図、（ｂ）は下側から見た斜視図である。
【図１１】同上のＬＥＤユニットにおける第２筐体を示し、（ａ）は平面図、（ｂ）は下面図である。
【図１２】同上のＬＥＤユニットにおける第２筐体を示し、（ａ）は図１１（ａ）のＡ−Ａ断面図、（ｂ）は正面図である。
【図１３】同上のＬＥＤユニットにおける第２筐体を示し、（ａ）は図１１（ａ）のＢ−Ｂ断面図、（ｂ）は図１１（ａ）のＣ−Ｃ断面図、（ｃ）は側面図である。
【図１４】同上のＬＥＤユニットにおける第１筐体に関し、（ａ）は第２筐体と溶着する箇所を示す説明図、（ｂ）は封止材が流れる経路を説明する説明図である。
【図１５】同上のＬＥＤユニットにおける第１筐体に関し、（ａ）は配線が取り付けられた状態を示す説明図、（ｂ）は電線が取り付けられた状態を示す説明図である。
【図１６】実施形態の照明器具を示し、（ａ）は概略構成図、（ｂ）はＬＥＤユニットから出射される光の照射範囲を説明する説明図である。
【図１７】同上の照明器具の他の構成例を示す概略構成図である。
【図１８】従来例の発光ユニットを示す平面図である。
【発明を実施するための形態】
【００１５】
以下、本実施形態のＬＥＤユニットについて、図１〜図１７を参照しながら説明する。
【００１６】
本実施形態のＬＥＤユニット１０は、例えば、照明器具の光源として用いられるものである。このＬＥＤユニット１０は、ＬＥＤ１が実装された配線基板２と、ＬＥＤ１から放射された光を出射する出射部８を有し配線基板２を収納可能な箱状の筐体４と、配線基板２に電気的に接続され筐体４から導出される一対の配線３ａ，３ｂとを備えている。
【００１７】
ＬＥＤ１としては、例えば、青色光を放射するＬＥＤチップ（以下、青色ＬＥＤチップと称する）と、青色ＬＥＤチップから放射された青色光により励起されてブロードな黄色光を放射する黄色蛍光体からなる蛍光体とを組み合わせて白色光を得る白色ＬＥＤを用いることができる。このようなＬＥＤ１は、例えば、青色ＬＥＤチップ（図示せず）と、この青色ＬＥＤチップが実装された実装基板１ａと、青色ＬＥＤチップを覆い黄色蛍光体を含有した第１の透光性材料（例えば、シリコーン樹脂、エポキシ樹脂、ガラスなど）からなる色変換部（図示せず）と、青色ＬＥＤチップおよび色変換部を封止した第２の透光性材料（例えば、シリコーン樹脂、エポキシ樹脂、ガラスなど）からなる封止部１ｂとを有している。なお、ＬＥＤ１の蛍光体は、黄色蛍光体に限らず、例えば、赤色蛍光体と緑色蛍光体とを用いてもよい。また、ＬＥＤ１は、紫〜近紫外線を放射するＬＥＤチップと、赤色蛍光体、緑色蛍光体および青色蛍光体とを組み合わせて白色光を得る白色ＬＥＤを用いてもよい。さらに、ＬＥＤ１は、赤色光を放射するＬＥＤチップと緑色光を放射するＬＥＤチップと青色ＬＥＤチップとを組み合わせて白色光を得る白色ＬＥＤを用いてもよい。また、ＬＥＤ１から放射される光の色は、白色に限るものではない。
【００１８】
配線基板２は、例えば、ガラスエポキシ樹脂などからなる絶縁性基材に適宜の導体パターン（図示せず）が形成されたプリント配線板により形成されている。また、配線基板２には、ＬＥＤ１と電気的に接続可能な一対の端子部２ａ，２ｂが、上記導体パターンの一部により形成されている。また、本実施形態では、ＬＥＤ１のアノード電極が端子部２ａに接続されており、ＬＥＤ１のカソード電極が端子部２ｂに接続されている。なお、本実施形態では、配線基板２として上述のプリント配線板を用いているが、これに限らず、例えば、金属ベースプリント配線板、セラミック基板などを用いてもよい。また、配線基板２におけるＬＥＤ１の実装側（図１では、上側）の一面には、一対の端子部２ａ，２ｂの近傍に端子部２ａ，２ｂの極性を示す“＋”、“−”がそれぞれ表記されている。
【００１９】
本実施形態では、配線基板２の一対の端子部２ａ，２ｂ間に、ＬＥＤ１の絶縁破壊を防止するためのツェナーダイオード２８が電気的に接続されている。なお、ツェナーダイオード２８は、配線基板２におけるＬＥＤ１の実装側の一面に実装されている。
【００２０】
また、配線基板２におけるＬＥＤ１の実装側には、ＬＥＤ１および各端子部２ａ，２ｂ以外の部位の大部分を覆う白色のレジスト層などからなる反射層（図示せず）が形成されている。これにより、本実施形態では、ＬＥＤ１から放射された光が配線基板２に吸収されるのを抑制することが可能となる。
【００２１】
また、配線基板２の一対の端子部２ａ，２ｂには、一対の配線３ａ，３ｂが、半田からなる接合部（図示せず）を介して電気的にそれぞれ接続されている。本実施形態では、一方の配線３ａが端子部２ａと電気的に接続されており、他方の配線３ｂが端子部２ｂと電気的に接続されている。ここで、本実施形態における各配線３ａ，３ｂは、配線基板２に電気的に接続可能な導電体３ｃ（図３参照）が絶縁被覆部３ｄ（図３参照）により覆われた被覆電線であり、筐体４内において導電体３ｃの一部が露出している。
【００２２】
本実施形態のＬＥＤユニット１０は、筐体４内で各配線３ａ，３ｂおよび配線基板２の各々とは電気的に絶縁された１本の電線７を備えている。本実施形態では、一例として、電線７の一端部側を電源ユニット１１（図１６および図１７参照）と電気的に接続し、他端部側をＬＥＤユニット１０の他方の配線３ｂと電気的に接続して使用される。したがって、本実施形態のＬＥＤユニット１０では、配線基板２とは別体に電線７を備えることによって、配線基板２に戻り電線としての機能を有する導体パターンが形成された場合に比べて、配線基板２に起因するＬＥＤユニット１０の電力損失を抑制することが可能となる。
【００２３】
また、電線７は、一端部側が他のＬＥＤユニット１０の電線７の他端部側と電気的に接続可能となっており、他端部側が他のＬＥＤユニット１０の電線７の一端部側と電気的に接続可能となっている。
【００２４】
筐体４は、配線基板２におけるＬＥＤ１の実装側に配置され上述の出射部８を具備する第１筐体５と、配線基板２における上記実装側とは反対側（図１では、下側）に配置される板状の第２筐体６とを有している。本実施形態では、第１筐体５および第２筐体６が、例えば、アクリル樹脂（メタアクリル樹脂（ＰＭＭＡ）など）により形成されている。
【００２５】
第１筐体５は、配線基板２側（図１では、下側）に開口部５ａ（図５および図６参照）を有する箱状に形成されている。また、第１筐体５は、筐体４の平面視において規定方向（図６では、左右方向）の一端部（図６では、左端部）に一方の配線３ａを導出する第１導出部１４が設けられている。また、第１筐体５は、筐体４の平面視において上記規定方向の他端部（図６では、右端部）に他方の配線３ｂを導出する第２導出部１５が設けられている。要するに、本実施形態では、筐体４の平面視において上記規定方向の一端部に一方の配線３ａを導出する第１導出部１４が設けられ、上記規定方向の他端部に他方の配線３ｂを導出する第２導出部１５が設けられている。ここにおいて、電線７は、一端部側が第１導出部１４から導出され、他端部側が第２導出部１５から導出されている。
【００２６】
また、第１筐体５は、配線基板２側に開口部１３ａを有する第１収納室１３が形成されている。この第１収納室１３は、ＬＥＤ１が実装された配線基板２を収納する。
【００２７】
第１収納室１３の底部１３ｂの中央部には、配線基板２に実装されたＬＥＤ１と対向する部位に、上述の出射部８が形成されている。本実施形態では、出射部８が、ＬＥＤ１から放射される配光を制御するレンズ部９であり、出射面側が凸形状に形成されている。
【００２８】
レンズ部９において配線基板２と対向する部位の中央部には、ＬＥＤ１の一部が収納される凹所９ｃが設けられている。本実施形態では、ＬＥＤ１の光出射面とレンズ部９の凹所９ｃの内面との間には、空隙２９が設けられている。また、本実施形態では、ＬＥＤ１の光出射面を半球面状に形成しており、レンズ部９の凹所９ｃを半楕円球状に形成してある。これにより、本実施形態では、ＬＥＤ１の光出射面から出射された光がレンズ部９の凹所９ｃにおけるすべての内面に入射可能となり、光の利用効率を高めることが可能となる。
【００２９】
また、レンズ部９において配線基板２と対向する部位の周部には、配線基板２と当接する円筒状の周壁１８が配線基板２側へ突設されている。この周壁１８には、ＬＥＤ１からの熱を放熱するための溝部１８ｃが複数箇所（図示例では、２箇所）に形成されている。ここで、本実施形態では、周壁１８が、平面視において半円弧状の第１周壁１８ａと、平面視において半円弧状の第２周壁１８ｂとで構成されている。
【００３０】
第１周壁１８ａおよび第２周壁１８ｂの各々において配線基板２と対向する部位には、第１筐体５を配線基板２に位置決めするための第１突起１８ｄが複数個（図示例では、２個）ずつ設けられている。ここにおいて、配線基板２には、レンズ部９の周壁１８における各第１突起１８ｄと対向する部位に、各第１突起１８ｄを各別に収納する第１収納孔２ｃが貫設されている。
【００３１】
また、第１収納室１３の底部１３ｂにおいて配線基板２と対向する部位には、配線基板２と当接可能な第１リブ１９が複数箇所（図示例では、４箇所）に設けられている。また、本実施形態では、４つの第１リブ１９のうち２つの第１リブ１９に、第１筐体５を配線基板２に位置決めするための第２突起１９ａがそれぞれ形成されている。ここにおいて、配線基板２には、第１収納室１３の２つの第１リブ１９に形成された各第２突起１９ａと対向する部位に、各第２突起１９ａを各別に収納する第２収納孔２ｄが貫設されている。
【００３２】
また、第１収納室１３の底部１３ｂにおいてレンズ部９以外で且つ配線基板２と対向する部位には、電線７の一部を収納する収納溝１３ｃが、レンズ部９の第１周壁１８ａに沿って形成されている。要するに、本実施形態では、筐体４の内面における出射部８の外側の部位に収納溝１３ｃが形成されている。これにより、本実施形態では、電線７の一部が出射部８と配線基板２との間に入るのを防止することが可能となる。
【００３３】
本実施形態では、第１収納室１３の内側面に、収納溝１３ｃに一部が収納された電線７を第１周壁１８ａとで挟持する突部１３ｅが、複数箇所（図示例では、２箇所）に突設されている。また、本実施形態では、第１収納室１３における４つの第１リブ１９のうち１つの第１リブ１９に、上述の突部１３ｅが設けられている。言い換えれば、本実施形態では、第１収納室１３において収納溝１３ｃに一部が収納された電線７を第１周壁１８ａとで挟持する突部１３ｅが、３箇所に設けられている。要するに、本実施形態では、第１筐体５において第１収納室１３の突部１３ｅと第１周壁１８ａとが、収納溝１３ｃに一部が収納された電線７を張力止めする張力止部としての機能を有している。これにより、本実施形態では、電線７に作用する張力を低減するための別部品が不要となり、低コストで電線７の張力止め機能を付与することが可能となる。
【００３４】
また、第１収納室１３の底部１３ｂにおけるレンズ部９以外の部位には、レンズ部９に近づくに従って第１筐体５と第２筐体６との間の距離が徐々に小さくなるように形成された傾斜部１３ｄが設けられている。この傾斜部１３ｄは、レンズ部９に近づくに従って第１筐体５における第２筐体６とは反対側の一表面（図３では、上面）と第２筐体６との間の距離が徐々に小さくなるように形成されている。これにより、本実施形態では、レンズ部９の光出射面（レンズ面）の面積を増やすことが可能となり、光の利用効率を高めることが可能となる。
【００３５】
本実施形態では、一方の配線３ａにおける導電体３ｃの一部が、第１筐体５の傾斜部１３ｄと第２筐体６との間に配置されて配線基板２の端子部２ａに電気的に接続されている。また、本実施形態では、他方の配線３ｂにおける導電体３ｃの一部が、第１筐体５の傾斜部１３ｄと第２筐体６との間に配置されて配線基板２の端子部２ｂに電気的に接続されている。ここで、本実施形態では、一対の配線３ａ，３ｂにおける導電体３ｃの一部の各々が、上記接合部を介して一対の端子部２ａ，２ｂに電気的にそれぞれ接続されている。要するに、本実施形態では、各配線３ｂ，３ｂにおける導電体３ｃの一部が、第１筐体５の傾斜部１３ｄと第２筐体６との間に配置されて配線基板２に半田により電気的に接続されている。これにより、本実施形態では、第１筐体５の傾斜部１３ｄと第２筐体６との間の距離を、各配線３ａ，３ｂにおいて絶縁被覆部３ｄを含む外径寸法よりも小さく設定することが可能で、一対の配線３ａ,３ｂにおける導電体３ｃの一部の各々と一対の端子部２ａ，２ｂとを電気的にそれぞれ接続した半田からなる上記接合部が盛り上がった部分の高さまで小さく設定することが可能となるので、第１筐体５に傾斜部１３ｄを設けない場合に比べて、筐体４における配線基板２の厚み方向に沿った高さ寸法を小さくすることが可能となる。
【００３６】
第１導出部１４は、配線基板２側に開口部３１ａを有する第２収納室３１（図５および図６など参照）が形成されている。この第２収納室３１は、一方の配線３ａおよび電線７の一部を収納する。また、第２収納室３１は、第１収納室１３と第１仕切壁部２０で仕切られている。第１仕切壁部２０には、一方の配線３ａを挿通した第１挿通穴２０ｂが形成されている。また、第１仕切壁部２０には、電線７を挿通した第２挿通穴２０ｃが形成されている。ここにおいて、第２収納室３１は、第１仕切壁部２０に形成された第１挿通穴２０ｂおよび第２挿通穴２０ｃを通して第１収納室１３と連通している。
【００３７】
第２収納室３１の底部３１ｄは、第１筐体５の傾斜部１３ｄから離れるに従って第１筐体５と第２筐体６との間の距離が一定となるように形成された第１平坦部１４ｅを構成している。なお、本実施形態では、第２収納室３１の第１平坦部１４ｅと第２筐体６との間の距離が、一方の配線３ａにおいて絶縁被覆部３ｄを含む外径寸法よりも若干大きく設定されている。
【００３８】
第２導出部１５は、配線基板２側に開口部３２ａを有する第３収納室３２（図５および図６など参照）が形成されている。この第３収納室３２は、他方の配線３ｂおよび電線７の一部を収納する。また、第３収納室３２は、第１収納室１３と第２仕切壁部２１で仕切られている。第２仕切壁部２１には、他方の配線３ｂを挿通した第３挿通穴２１ｂが形成されている。また、第２仕切壁部２１には、電線７を挿通した第４挿通穴２１ｃが形成されている。ここにおいて、第３収納室３２は、第２仕切壁部２１に形成された第３挿通穴２１ｂおよび第４挿通穴２１ｃを通して第１収納室１３と連通している。
【００３９】
第３収納室３２の底部３２ｄは、第１筐体５の傾斜部１３ｄから離れるに従って第１筐体５と第２筐体６との間の距離が一定となるように形成された第２平坦部１５ｅを構成している。なお、本実施形態では、第３収納室３２の第２平坦部１５ｅと第２筐体６との間の距離が、他方の配線３ｂにおいて絶縁被覆部３ｄを含む外径寸法よりも若干大きく設定されている。
【００４０】
ところで、本実施形態では、第１導出部１４および第２導出部１５の各々が、筐体４の平面視における上記規定方向に沿った中心線に対して互いに異なる側に配置されている。具体的に説明すると、第１導出部１４は、筐体４における上記一端部において、上記厚み方向および一方の配線３ａの導出方向に直交する方向の一方（図１では、右下側）に配置されている。また、第２導出部１５は、筐体４における上記他端部において、上記直交する方向の他方（図１では、左上側）に配置されている。ここにおいて、第１導出部１４および第２導出部１５における上記直交する方向の幅寸法は、筐体４における上記直交する方向の幅寸法よりも小さく設定されている。
【００４１】
また、第１導出部１４において筐体４の上記規定方向の一端部（図６では、左端部）には、一方の配線３ａを導出するための第１導出穴１４ｂが形成されている。また、第１導出部１４における上記一端部には、電線７を導出するための第２導出穴１４ｃが形成されている。
【００４２】
また、第２収納室３１の底部３１ｄにおける配線基板２と対向する部位には、第１挿通穴２０ｂを通して第１導出穴１４ｂから導出された一方の配線３ａの一部を、第１導出部１４における第２収納室３１の内壁とで挟持する第２リブ２２が突設されている（図１５（ａ）など参照）。要するに、本実施形態では、第２リブ２２が、一方の配線３ａの一部を第１導出部１４の内壁とで挟持する第１張力止部を構成している。これにより、本実施形態では、一方の配線３ａに作用する張力を低減するための別部品が不要となり、低コストで一方の配線３ａの張力止め機能を付与することが可能となる。また、本実施形態では、一方の配線３ａに作用する張力を低減することが可能となるので、一方の配線３ａにおいて露出された導電体３ｃの一部と配線基板２の端子部２ａとの上記接合部に応力が作用して断線するのを防止することが可能となる。
【００４３】
また、第２導出部１５において筐体４の上記規定方向の一端部（図６では、右端部）には、他方の配線３ｂを導出するための第３導出穴１５ｂが形成されている。また、第２導出部１５における上記一端部には、電線７を導出するための第４導出穴１５ｃが形成されている。
【００４４】
また、第３収納室３２の底部３２ｄにおける配線基板２と対向する部位には、第３挿通穴２１ｂを通して第３導出穴１５ｂから導出された他方の配線３ｂの一部を、第２導出部１５における第３収納室３２の内壁とで挟持する第３リブ２３が突設されている。要するに、本実施形態では、第３リブ２３が、他方の配線３ｂの一部を第２導出部１５の内壁とで挟持する第２張力止部を構成している。これにより、本実施形態では、他方の配線３ｂに作用する張力を低減するための別部品が不要となり、低コストで他方の配線３ｂの張力止め機能を付与することが可能となる。また、本実施形態では、他方の配線３ｂに作用する張力を低減することが可能となるので、他方の配線３ｂにおいて露出された導電体３ｃの一部と配線基板２の端子部２ｂとの上記接合部に応力が作用して断線するのを防止することが可能となる。
【００４５】
また、第１筐体５は、筐体４の上記規定方向の一端部および他端部に、筐体４を器具本体１２（図１６および図１７参照）に取り付けるための第１取付部１６ａおよび第２取付部１６ｂがそれぞれ形成されている。第１取付部１６ａおよび第２取付部１６ｂは、筐体４における上記中心線に対して第１導出部１４および第２導出部１５とは反対側にそれぞれ配置されている。ここで、本実施形態では、第１導出部１４および第１取付部１６ａが、筐体４における上記幅寸法内に収まるように形成されている。また、第２導出部１５および第２取付部１６ｂが、筐体４における上記幅寸法内に収まるように形成されている。
【００４６】
各取付部１６ａ，１６ｂには、筐体４を器具本体１２に取り付けるための取付ねじ（図示せず）をこれら各取付部１６ａ，１６ｂの一表面側（図１では、上面側）から挿通する第１挿通孔１６ｃが貫設されている。
【００４７】
第２筐体６は、板状に形成されている。第２筐体６の配線基板２側（図１では、上側）には、第１筐体５の第１収納室１３、第２収納室３１および第３収納室３２の外周縁（図１４（ａ）中に示した一点鎖線の部分）と対向する部位に、配線基板２側へ突出する突壁２４が設けられている。
【００４８】
突壁２４の配線基板２側には、第１導出部１４の第１導出穴１４ｂに対応する位置に、一方の配線３ａを導出するための第１導出穴２４ｂが形成されている。また、突壁２４の配線基板２側には、第１導出部１４の第２導出穴１４ｃに対応する位置に、電線７を導出するための第２導出穴２４ｃが形成されている。さらに、突壁２４の配線基板２側には、第２導出部１５の第３導出穴１５ｂに対応する位置に、他方の配線３ｂを導出するための第３導出穴２４ａが形成されている。また、突壁２４の配線基板２側には、第２導出部１５の第４導出穴１５ｃに対応する位置に、電線７を導出するための第４導出穴２４ｄが形成されている。本実施形態では、第１筐体５の配線基板２側と第２筐体６の突壁２４の先端面とを突き合わせてこの突き合わせた部分を溶着（例えば、超音波溶着など）することによって、第１筐体５と第２筐体６とが結合されている。
【００４９】
また、第２筐体６には、第１筐体５の第１導出部１４および第２導出部１５の各々と対向する部位に、第１導出部１４および第２導出部１５の各々の内部に封止材を充填するための貫通孔６ａが設けられている。これにより、本実施形態では、各導出穴１４ｂ，１４ｃ，１５ｂ，１５ｃ，２４ａ〜２４ｄを通して筐体４内に水などが浸入するのを防止することが可能となる。本実施形態のＬＥＤユニット１０では、筐体４の第１導出部１４および第２導出部の内部に、封止材が充填される。これにより、本実施形態では、各導出穴１４ｂ，１４ｃ，１５ｂ，１５ｃ，２４ａ〜２４ｄを通して筐体４内に水などが浸入するのを防止することが可能となる。なお、図３では、封止材を省略している。
【００５０】
また、第２筐体６には、第１筐体５の第１導出部１４および第２導出部１５の各々と対向する部位に、第１導出部１４および第２導出部１５の各々の内部に封止材を充填する際に第１導出部１４および第２導出部１５内の大気を外部へ排出するための排気孔６ｂが貫設されている。この排気孔６ｂは、第１導出部１４および第２導出部１５の内部に充填される封止材が、図１４（ｂ）中に示す矢印の経路で流れ込むように形成されている。
【００５１】
また、第２筐体６の配線基板２側には、第１筐体５における各挿通穴２０ｂ，２０ｃ，２１ｂ，２１ｃに対応する位置に、各配線３ａ，３ｂや電線７の一部と当接可能な第４リブ２５が突設されている。これにより、本実施形態では、第２筐体６の貫通孔６ａから充填された封止材が、各挿通穴２０ｂ，２０ｃ，２１ｂ，２１ｃを通して第１収納室１３内に侵入するのを防止することが可能となる。ここにおいて、本実施形態では、第１筐体５における各挿通穴２０ｂ，２０ｃ，２１ｂ,２１ｃと第２筐体６における各第４リブ２５とが、第１筐体５と第２筐体６とを逆向きに結合するのを防止する機能を有している。また、第１筐体５における上記直交する方向の一側面（図１では、右下側面）には、第１筐体５と第２筐体６とを逆向きに結合するのを防止するための第１目印である第１突片３０ａが外方へ突設されている。また、第２筐体６における上記直交する方向の一側面（図１では、右下側面)には、第１筐体５の第１突片３０ａに対応する位置に、第１筐体５と第２筐体６とを逆向きに結合するのを防止するための第２目印である第２突片３０ｂが外方へ突設されている。
【００５２】
また、第２筐体６には、第１筐体５の第１取付部１６ａおよび第２取付部１６ｂの各第１挿通孔１６ｃに対応する位置に、上記取付ねじを第１筐体５側から挿通する第２挿通孔６ｃが貫設されている。以下、説明の便宜上、本実施形態では、第１挿通孔１６ｃと第２挿通孔６ｃとを合わせて取付ねじ挿通孔１７と称することもある。
【００５３】
本実施形態のＬＥＤユニット１０は、第１筐体５の第１挿通孔１６ｃと第２筐体６の第２挿通孔６ｃとの間に介在するスペーサ２６を有している。なお、図２では、スペーサ２６を省略している。
【００５４】
スペーサ２６は、例えば、ステンレスなどにより形成されており、円筒状の本体部２６ａと、本体部２６ａの外周壁から外方へ延設された複数の脚片２６ｂとを有している。なお、本体部２６ａの外径寸法は、筐体４の各取付ねじ挿通孔１７の内径寸法よりも若干小さく設定されている。また、スペーサ２６は、ＬＥＤユニット１０を器具本体１２に取り付けるときに、上記取付ねじによる応力が筐体４に作用するのを抑制する機能を有している。
【００５５】
しかして、本実施形態のＬＥＤユニット１０では、第１導出部１４および第２導出部１５の各々が、筐体４の平面視における上記規定方向に沿った中心線に対して互いに異なる側にあり、第１取付部１６ａおよび第２取付部１６ｂそれぞれが、筐体４における上記中心線に対して第１導出部１４および第２導出部１５とは反対側にあるので、図１８に示した構成の発光ユニット６２に比べて、小型化を図ることが可能となる。また、本実施形態では、第１導出部１４および第２導出部１５の各々が筐体４における上記中心線に対して互いに異なる側にあり、第１取付部１６ａおよび第２取付部１６ｂそれぞれが筐体４における上記中心線に対して第１導出部１４および第２導出部１５とは反対側にあるので、筐体４において上記直交する方向へ突出する部位をなくすことが可能となり、ＬＥＤユニット１０における上記直交する方向の幅寸法を小さくすることが可能となる。
【００５６】
以下、本実施形態の照明器具について、図１６および図１７に基づいて説明する。
【００５７】
本実施形態の照明器具は、上述のＬＥＤユニット１０と、ＬＥＤユニット１０に電源を供給する電源ユニット１１と、ＬＥＤユニット１０と電源ユニット１１とを保持する器具本体１２とを備えている。ここにおいて、本実施形態では、ＬＥＤユニット１０を複数個備えており、図１６に示した構成の照明器具ではＬＥＤユニット１０を１６個備え、図１７に示した構成の照明器具ではＬＥＤユニット１０を３６個備えている。また、図１６および図１７それぞれに示した照明器具では、複数個のＬＥＤユニット１０が電気的に直列接続されており、電源ユニット１１がこれら複数個のＬＥＤユニット１０に電源を供給する。具体的に説明すると、本実施形態では、ＬＥＤユニット１０の一方の配線３ａが電源ユニット１１や他のＬＥＤユニット１０の他方の配線３ｂと電気的に接続されており、このＬＥＤユニット１０の他方の配線３ｂがさらに他のＬＥＤユニット１０の一方の配線３ａやこのＬＥＤユニット１０の電線７と電気的に接続されている。また、ＬＥＤユニット１０の電線７の一端部側が電源ユニット１１や他のＬＥＤユニット１０の電線７の他端部側と電気的に接続されており、このＬＥＤユニット１０の電線７の他端部側がさらに他のＬＥＤユニット１０の電線７の一端部側やこのＬＥＤユニット１０の他方の配線３ｂと電気的に接続されている。なお、本実施形態では、複数個のＬＥＤユニット１０の電気的な接続関係を直列接続としているが、これに限らず、例えば、並列接続としてもよいし、直列接続と並列接続とを組み合わせた接続としてもよい。
【００５８】
器具本体１２は、一面側に開口部１２ｂを有する矩形箱状に形成されている。
【００５９】
器具本体１２の底部１２ａには、ＬＥＤユニット１０の筐体４の各取付ねじ挿通孔１７に対応する位置に、上記取付ねじを螺合させる取付ねじ孔（図示せず）が複数箇所に形成されている。ここにおいて、本実施形態の照明器具では、ＬＥＤユニット１０を器具本体１２に取り付ける場合、上記取付ねじを各取付部１６ａ，１６ｂの上記一表面側から取付ねじ挿通孔１７に挿通して器具本体１２の上記取付ねじ孔に螺合させることによって、器具本体１２にＬＥＤユニット１０が取り付けられる。
【００６０】
また、上述の照明器具は、例えば、任意の文字や所定の図形などが一表面側（図１６（ｂ）では、左面側）に形成された矩形板状の前面パネル２７を備えている。つまり、本実施形態の照明器具は、看板用途に用いられる照明器具である。なお、本実施形態の照明器具は、看板用途に限るものではない。
【００６１】
また、器具本体１２は、開口部１２ｂ側に、前面パネル２７が取り付け可能となっている。本実施形態では、器具本体１２に取り付けられたＬＥＤユニット１０から出射された光が、前面パネル２７の他表面側を照射する（図１６（ｂ）参照）。なお、図１６（ｂ）に示した例では、ＬＥＤユニット１０から出射された光の広がり角度が、１６４°となっている。
【００６２】
したがって、本実施形態の照明器具では、小型化を図ることが可能なＬＥＤユニット１０を備えた照明器具を提供することができる。
【符号の説明】
【００６３】
１  ＬＥＤ
２  配線基板
３ａ  一方の配線
３ｂ  他方の配線
３ｃ  導電体
３ｄ  絶縁被覆部
４  筐体
５  第１筐体
６  第２筐体
７  電線
８  出射部
９  レンズ部
１０  ＬＥＤユニット
１１  電源ユニット
１２  器具本体
１３ｄ  傾斜部
１４  第１導出部
１５  第２導出部
１６ａ  第１取付部
１６ｂ  第２取付部
２２  第１張力止部（第２リブ）
２３  第２張力止部（第３リブ）
【図１】
0005210452.tif 000002
【図２】
0005210452.tif 000003
【図３】
0005210452.tif 000004
【図４】
0005210452.tif 000005
【図５】
0005210452.tif 000006
【図６】
0005210452.tif 000007
【図７】
0005210452.tif 000008
【図８】
0005210452.tif 000009
【図９】
0005210452.tif 000010
【図１０】
0005210452.tif 000011
【図１１】
0005210452.tif 000012
【図１２】
0005210452.tif 000013
【図１３】
0005210452.tif 000014
【図１４】
0005210452.tif 000015
【図１５】
0005210452.tif 000016
【図１６】
0005210452.tif 000017
【図１７】
0005210452.tif 000018
【図１８】
0005210452.tif 000019